【手続補正書】
【提出日】平成25年3月1日(2013.3.1)
【手続補正１】
【補正対象書類名】特許請求の範囲
【補正対象項目名】全文
【補正方法】変更
【補正の内容】
【特許請求の範囲】
【請求項１】
被検体の皮膚から、および／または該皮膚の下から引き抜かれた媒体の分析用のデバイスであって、該デバイスは、
該被検体の皮膚に近接して設置されるように構築および配設される支持構造と、
アクセス部位における該被検体の該皮膚から、および／または該皮膚の下から該媒体にアクセスする、該支持構造と関連付けられる手段と、
初期の圧力差を生成するための作動を要求することなしに、該アクセス部位の少なくとも一部分における該皮膚をわたる圧力差を生成することが可能である圧力調節器と、
該被検体からの該媒体の少なくとも１つの状態を決定するセンサと、
該センサによって決定される該媒体の該状態に関する信号を発生させる信号発生器と
を備える、デバイス。
【請求項２】
前記皮膚への前記支持構造の接着のための接着剤を含む、請求項１に記載のデバイス。
【請求項３】
前記媒体にアクセスする手段を起動し、それにより、前記被検体の皮膚から、および／または該皮膚の下から該媒体を抽出する、前記支持構造と関連付けられる抽出起動部をさらに備える、請求項１または２のうちのいずれか一項に記載のデバイス。
【請求項４】
前記抽出起動部は、前記皮膚に対して配置可能である、請求項３に記載のデバイス。
【請求項５】
前記抽出起動部は、前記デバイスが前記皮膚に対して配置されると生成される力を決定することが可能である、請求項３または４のうちのいずれか一項に記載のデバイス。
【請求項６】
前記支持構造は、前記デバイスを前記皮膚に貼付するための機械的要素をさらに備える、請求項１〜５のうちのいずれか一項に記載のデバイス。
【請求項７】
前記支持構造は、前記媒体にアクセスする前記手段を含む陥凹を含む、請求項１〜６のうちのいずれか一項に記載のデバイス。
【請求項８】
前記支持構造は、前記抽出起動部と流体的に連絡している微小流体チャネルをさらに備える、請求項１〜７のうちのいずれか一項に記載のデバイス。
【請求項９】
前記デバイスは、前記被検体から流体を引き抜くことが可能である、請求項１〜８のうちのいずれか一項に記載のデバイス。
【請求項１０】
前記流体は、血液を含む、請求項９に記載のデバイス。
【請求項１１】
前記流体は、間質液を含む、請求項９または１０に記載のデバイス。
【請求項１２】
前記デバイスは、前記媒体にアクセスする前記手段と流体的に連絡している貯蔵区画をさらに備える、請求項９〜１１のうちのいずれか一項に記載のデバイス。
【請求項１３】
前記デバイスは、前記被検体から引き抜かれた流体内に含有される被分析物を決定することが可能である、請求項１〜１２のうちのいずれか一項に記載のデバイス。
【請求項１４】
前記デバイスは、後に前記被検体の皮膚から該デバイスを除去することなく、前記被分析物を決定することが可能である、請求項１３に記載のデバイス。
【請求項１５】
前記デバイスは、自動的に前記被分析物を決定することが可能である、請求項１３および１４のうちのいずれか一項に記載のデバイス。
【請求項１６】
前記デバイスは、前記被分析物の前記決定の結果を表示することが可能である、請求項１３〜１５のうちのいずれか一項に記載のデバイス。
【請求項１７】
前記デバイスは、前記媒体にアクセスする前記手段を介して、流体を前記被検体に送達することが可能である、請求項１〜１６のうちのいずれか一項に記載のデバイス。
【請求項１８】
前記媒体にアクセスする前記手段は、１本以上の極微針を備える、請求項１〜１７のうちのいずれか一項に記載のデバイス。
【請求項１９】
前記媒体にアクセスする前記手段は、１本以上の中実極微針を備える、請求項１〜１８のうちのいずれか一項に記載のデバイス。
【請求項２０】
前記媒体にアクセスする前記手段は、１本以上の中空極微針を備える、請求項１〜１９のうちのいずれか一項に記載のデバイス。
【請求項２１】
前記媒体にアクセスする前記手段は、前記支持構造に対して固定化される、請求項１〜２０のうちのいずれか一項に記載のデバイス。
【請求項２２】
前記デバイスは、前記皮膚への曝露後に、前記皮膚から前記媒体にアクセスする前記手段を引き抜くことが可能である、請求項１〜２１のうちのいずれか一項に記載のデバイス。
【請求項２３】
前記支持構造は、前記媒体にアクセスする前記手段に向かう前記被検体の皮膚を引き寄せることが可能である、請求項１〜２２のうちのいずれか一項に記載のデバイス。
【請求項２４】
前記支持構造は、真空を前記皮膚に印加することが可能である、請求項１〜２３のうちのいずれか一項に記載のデバイス。
【請求項２５】
前記支持構造は、内蔵式真空チャンバを備える、請求項１〜２４のうちのいずれか一項に記載のデバイス。
【請求項２６】
前記媒体にアクセスする前記手段は、前記支持構造に対して移動することが可能である、請求項１〜２５のうちのいずれか一項に記載のデバイス。
【請求項２７】
前記媒体にアクセスする前記手段は、前記被検体によって起動可能である、請求項１〜２６のうちのいずれか一項に記載のデバイス。
【請求項２８】
前記媒体にアクセスする前記手段は、前記デバイスを前記皮膚に適用すると起動される、請求項１〜２７のうちのいずれか一項に記載のデバイス。
【請求項２９】
前記デバイスは、熱を前記皮膚に印加する加熱器をさらに備える、請求項１〜２８のうちのいずれか一項に記載のデバイス。
【請求項３０】
前記デバイスは、前記皮膚を冷却する冷却器をさらに備える、請求項１〜２９のうちのいずれか一項に記載のデバイス。
【請求項３１】
被検体の皮膚から、および／または該皮膚の下から引き抜かれた媒体の分析用のデバイスであって、
該被検体の皮膚に近接して設置されるように構築および配設される支持構造と、
アクセス部位における該被検体の皮膚から、および／または該皮膚の下から該媒体にアクセスする流体輸送器と、
初期の圧力差を生成するための作動を要求することなしに、該アクセス部位の少なくとも一部分における該皮膚をわたる圧力差を生成することが可能である圧力調節器と、
該被検体からの該媒体の少なくとも１つの状態を決定するセンサと、
該センサによって決定される該媒体の該状態に関する信号を発生させる信号発生器と
を備える、デバイス。
【請求項３２】
被検体の皮膚から、および／または該皮膚の下から引き抜かれた媒体の分析用のデバイスであって、
アクセス部位における該被検体の皮膚から、および／または該皮膚の下から該媒体にアクセスする手段と、
初期の圧力差を生成するための作動を要求することなしに、該アクセス部位の少なくとも一部分における該皮膚をわたる圧力差を生成することが可能である圧力調節器と、
該被検体からの該媒体の少なくとも１つの状態を決定するセンサと、
該センサによって決定される該媒体の該状態に関する信号を発生させる信号発生器と
を備える、デバイス。
【請求項３３】
被検体の皮膚から、および／または該皮膚の下から引き抜かれた媒体の分析用のデバイスであって、
アクセス部位における該被検体の皮膚から、および／または該皮膚の下から該媒体にアクセスする手段と、
チャンバと関連付けられるピストンポンプがない場合に、該アクセス部位の少なくとも一部分における該皮膚をわたる圧力差を生成することが可能である圧力差チャンバと、
該被検体からの該媒体の少なくとも１つの状態を決定するセンサと、
該センサによって決定される該媒体の該状態に関する信号を発生させる信号発生器と
を備える、デバイス。
【請求項３４】
被検体の皮膚から、および／または該皮膚の下から引き抜かれた媒体を分析する方法であって、
経路を備える分析デバイスを、該デバイスが該皮膚に隣接している間に、該被検体の該皮膚に隣接して設置することと、
該媒体を該デバイスの該経路と接続するように、該デバイスのアクセス構成要素を起動することと、
該経路を介して該媒体を該デバイスの中へ押し進めるように、該デバイスの圧力コントローラを起動することと、
該デバイスのセンサに該媒体を曝露し、該被検体からの該媒体の少なくとも１つの状態を決定することと、
該センサによって決定される該媒体の該状態に関する信号を発生させることと
を含む、方法。
【請求項３５】
被検体の皮膚に近接する部位に適用可能なデバイスであって、
検出される被分析物と反応または相互作用し、視覚によって、感触によって、臭いによって、または味によって検出することができる信号を発生させる作用物質を備え、
被分析物と反応または相互作用する該作用物質および信号伝達作用物質は、同じか、または異なり得、
該信号は、該被分析物の属性の関数として変化することができ、定性的に分析することができる信号を発出する、デバイス。
【請求項３６】
被検体の皮膚に近接する部位に適用可能なデバイスであって、
検出される被分析物と反応または相互作用し、視覚によって、感触によって、臭いによって、または味によって検出することができる信号を発生させる作用物質を備え、
被分析物と反応または相互作用する該作用物質と信号伝達作用物質とは、同じか、または異なり得、
該デバイスは、該被検体から流体を取得し、反応のために取得部位から分析部位まで該流体を輸送する、デバイス。
【請求項３７】
被検体の皮膚に近接する部位に適用可能なデバイスであって、該デバイスは、被検体の物理的状態を決定し、該状態に関係付けられる信号を発出し、該信号は、該被検体によって容易に理解可能ではない、デバイス。
【請求項３８】
被検体の皮膚に近接する部位においてデバイスを提供することであって、該デバイスは、被検体の物理的状態を決定し、該状態に関係付けられる信号を発出する、ことと、
該信号の表示を取得することと、
該表示を分析する実体に該信号の該表示を輸送することと
を含む、方法。
【請求項３９】
少なくとも、被検体の第１の物理的状態に関係付けられる第１の信号を生成する第１の分析部位と、該被検体の第２の物理的状態に関係付けられる第２の信号を生成する第２の分析部位とを含む、該被検体の皮膚に近接する複数の分析部位を提供することを含む、方法。
【請求項４０】
被分析物と反応または相互作用して、アイコンの形態で信号を発生させる反応性作用物質を備える、被検体の皮膚に近接する反応部位を提供することを含む、方法。
【請求項４１】
被検体の状態を決定するように、該被検体の皮膚に近接する部位に適用可能なデバイスであって、
第１の構成要素と、該部位に適用するために該第１の構成要素に接続され、該部位に適用した後に該第１の構成要素から分離可能である第２の構成要素とを備え、該第１の構成要素は、該被検体の体液を取得するように起動することができ、該第２の構成要素は、検出される被分析物と反応または相互作用し、視覚によって、感触によって、臭いによって、または味によって検出することができる信号を発生させる作用物質を備える、デバイス。
【請求項４２】
被検体の唾液の中の被分析物と反応または相互作用して、信号を発生させる作用物質を備える、該被検体によって装着可能なデバイス。
【請求項４３】
被検体の皮膚に近接する部位に適用可能なデバイスであって、該デバイスは、検出される被分析物と反応または相互作用して、視覚によって、感触によって、臭いによって、または味によって検出することができる信号を発生させる作用物質を備え、
該デバイスは、該信号の発生に関与する該作用物質を備える膜であって、被分析物および／または被分析物指標の通過、ならびに被分析物および／または被分析物指標との反応のうちの１つ以上に対して選択的である、膜を備える、デバイス。
【請求項４４】
デバイスを緊急看護を必要としている被検体の皮膚に近接して適用することを含み、該デバイスは、被分析物と反応または相互作用して、該被検体の状態を示す信号を発生させる反応性作用物質を備える、方法。
【請求項４５】
第１の色の複数の第１の粒子と、第２の色の複数の第２の粒子とを含有する溶液に、該溶液の色の変化を引き起こすのに十分な電場および／または磁場を印加することを含む、方法。
【請求項４６】
少なくとも、第１の決定可能な特性を有する第１の亜集団と、第２の決定可能な特性を有する第２の亜集団とを含む粒子の集団を、サンプルに曝露することと、
該粒子の第１の亜集団のうちの少なくともいくつかの粒子が、結合パートナーを介して、該サンプルの構成要素に結合することを可能にすることであって、該構成要素に結合された該第２の亜集団からの粒子の数に対する、該構成要素に結合された該第１の亜集団からの粒子の数の比が、少なくとも５：１であるように、該粒子の第２の亜集団は、本質的に該構成要素に結合されないままである、ことと、
結合されていない粒子から該構成要素に結合された該粒子を分離することと、
該分離を決定することによって、該サンプルの特性を決定することと
を含む、方法。
【請求項４７】
結合パートナーを介して、１つの色の粒子をサンプルの構成要素に優先的に結合すると、異なる色の粒子の集団の変化によって達成される色変化を視覚化することによって、該サンプルの特性を決定することを含む、方法。
【手続補正２】
【補正対象書類名】明細書
【補正対象項目名】００２４
【補正方法】変更
【補正の内容】
【００２４】
本発明の他の利点および新規の特徴は、添付図面と併せて考慮されると、本発明の種々の非限定的実施形態の以下の詳細な説明から明白となるであろう。本明細書および参照することにより組み込まれる文書が、相反する、および／または矛盾する開示を含む場合、本明細書が優先するものとする。参照することにより組み込まれる２つ以上の文書が、相互に対して相反する、および／または矛盾する開示を含む場合には、より最近の発効日を有する文書が優先するものとする。
本発明は、例えば、以下を提供する。
（項目１）
被検体からの抽出可能媒体の分析用のデバイスであって、該デバイスは、
該被検体の皮膚に近接して設置されるように構築および配設される支持構造と、
アクセス部位における該被検体の該皮膚から、および／または該皮膚を通して該抽出可能媒体にアクセスする、該支持構造と関連付けられる手段と、
該アクセス部位の少なくとも一部分における該皮膚をわたる圧力差を生成することが可能である、該支持構造によって支持される圧力調節器と、
該被検体からの該抽出可能媒体の少なくとも１つの状態を決定する、該支持構造によって支持されるセンサと、
該センサによって決定される該媒体の該状態に関する信号を発生させる、該支持構造によって支持される信号発生器と
を備える、デバイス。
（項目２）
上記皮膚への上記支持構造の接着のための接着剤を含む、項目１に記載のデバイス。
（項目３）
上記抽出可能媒体にアクセスする手段を起動し、それにより、上記被検体の皮膚から、または皮膚を通して該媒体を抽出する、上記支持構造と関連付けられる抽出起動部をさらに備える、項目１または２のうちのいずれか一項に記載のデバイス。
（項目４）
上記抽出起動部は、上記皮膚に対して配置可能である、項目３に記載のデバイス。
（項目５）
上記抽出起動部は、上記デバイスが上記皮膚に対して配置されると生成される力を決定することが可能である、項目３または４のうちのいずれか一項に記載のデバイス。
（項目６）
上記支持構造は、上記デバイスを上記皮膚に貼付するための機械的要素をさらに備える、項目１〜５のうちのいずれか一項に記載のデバイス。
（項目７）
上記支持構造は、上記抽出可能媒体にアクセスする上記手段を含有する陥凹を含有する、項目１〜６のうちのいずれか一項に記載のデバイス。
（項目８）
上記支持構造は、上記抽出起動部と流体的に連絡している微小流体チャネルをさらに備える、項目１〜７のうちのいずれか一項に記載のデバイス。
（項目９）
上記デバイスは、上記被検体から流体を引き抜くことが可能である、項目１〜８のうちのいずれか一項に記載のデバイス。
（項目１０）
上記流体は、血液を含む、項目９に記載のデバイス。
（項目１１）
上記流体は、間質液を含む、項目９または１０に記載のデバイス。
（項目１２）
上記デバイスは、上記抽出可能媒体にアクセスする上記手段と流体的に連絡している貯蔵区画をさらに備える、項目９〜１１のうちのいずれか一項に記載のデバイス。
（項目１３）
上記デバイスは、上記被検体から引き抜かれた流体内に含有される被分析物を決定することが可能である、項目１〜１２のうちのいずれか一項に記載のデバイス。
（項目１４）
上記デバイスは、後に上記被検体の皮膚から該デバイスを除去することなく、上記被分析物を決定することが可能である、項目１３に記載のデバイス。
（項目１５）
上記デバイスは、自動的に上記被分析物を決定することが可能である、項目１３および１４のうちのいずれか一項に記載のデバイス。
（項目１６）
上記デバイスは、上記被分析物の上記決定の結果を表示することが可能である、項目１３〜１５のうちのいずれか一項に記載のデバイス。
（項目１７）
上記デバイスは、上記抽出可能媒体にアクセスする上記手段を介して、流体を上記被検体に送達することが可能である、項目１〜１６のうちのいずれか一項に記載のデバイス。
（項目１８）
上記抽出可能媒体にアクセスする上記手段は、１本以上の極微針を備える、項目１〜１７のうちのいずれか一項に記載のデバイス。
（項目１９）
上記抽出可能媒体にアクセスする上記手段は、１本以上の中実極微針を備える、項目１〜１８のうちのいずれか一項に記載のデバイス。
（項目２０）
上記抽出可能媒体にアクセスする上記手段は、１本以上の中空極微針を備える、項目１〜１９のうちのいずれか一項に記載のデバイス。
（項目２１）
上記抽出可能媒体にアクセスする上記手段は、上記支持構造に対して固定化される、項目１〜２０のうちのいずれか一項に記載のデバイス。
（項目２２）
上記デバイスは、上記皮膚への曝露後に、上記皮膚から上記抽出可能媒体にアクセスする上記手段を引き抜くことが可能である、項目１〜２１のうちのいずれか一項に記載のデバイス。
（項目２３）
上記支持構造は、上記抽出可能媒体にアクセスする上記手段に向かう上記被検体の皮膚を引き寄せることが可能である、項目１〜２２のうちのいずれか一項に記載のデバイス。
（項目２４）
上記支持構造は、真空を上記皮膚に印加することが可能である、項目１〜２３のうちのいずれか一項に記載のデバイス。
（項目２５）
上記支持構造は、内蔵式真空チャンバを備える、項目１〜２４のうちのいずれか一項に記載のデバイス。
（項目２６）
上記抽出可能媒体にアクセスする上記手段は、上記支持構造に対して移動することが可能である、項目１〜２５のうちのいずれか一項に記載のデバイス。
（項目２７）
上記抽出可能媒体にアクセスする上記手段は、上記被検体によって起動可能である、項目１〜２６のうちのいずれか一項に記載のデバイス。
（項目２８）
上記抽出可能媒体にアクセスする上記手段は、上記デバイスを上記皮膚に適用すると起動される、項目１〜２７のうちのいずれか一項に記載のデバイス。
（項目２９）
上記デバイスは、熱を上記皮膚に印加する加熱器をさらに備える、項目１〜２８のうちのいずれか一項に記載のデバイス。
（項目３０）
上記デバイスは、上記皮膚を冷却する冷却器をさらに備える、項目１〜２９のうちのいずれか一項に記載のデバイス。
（項目３１）
被検体からの抽出可能媒体の分析用のデバイスであって、
該被検体の皮膚に近接して設置されるように構築および配設される支持構造と、
アクセス部位における上記被検体の皮膚から、および／または皮膚を通して該抽出可能媒体にアクセスする流体輸送器と、
該アクセス部位の少なくとも一部分における該皮膚をわたる圧力差を生成することが可能である、該支持構造によって支持される圧力調節器と、
該被検体からの該抽出可能媒体の少なくとも１つの状態を決定する、該支持構造によって支持されるセンサと、
該センサによって決定される該媒体の該状態に関する信号を発生させる、該支持構造によって支持される信号発生器と
を備える、デバイス。
（項目３２）
被検体からの抽出可能媒体の分析用のデバイスであって、
アクセス部位における該被検体の皮膚から、および／または皮膚を通して該抽出可能媒体にアクセスする手段と、
該アクセス部位の少なくとも一部分における該皮膚をわたる圧力差を生成することが可能である圧力調節器と、
該被検体からの該抽出可能媒体の少なくとも１つの状態を決定するセンサと、
該センサによって決定される該媒体の該状態に関する信号を発生させるための信号発生器と
を備える、デバイス。
（項目３３）
被検体からの抽出可能媒体の分析用のデバイスであって、
アクセス部位における該被検体の皮膚から、および／または皮膚の下から該抽出可能媒体にアクセスする手段と、
チャンバと関連付けられるピストンポンプがない場合に、該アクセス部位の少なくとも一部分における該皮膚をわたる圧力差を生成することが可能である圧力差チャンバと、
該被検体からの該抽出可能媒体の少なくとも１つの状態を決定するセンサと、
該センサによって決定される該媒体の該状態に関する信号を発生させるための信号発生器と
を備える、デバイス。
（項目３４）
被検体からの抽出可能媒体を分析する方法であって、
該被検体の皮膚に隣接して、経路を備える分析デバイスを設置することと、
該デバイスが該皮膚に隣接している間に、該抽出可能媒体を該デバイスの該経路と接続するように、該デバイスのアクセス構成要素を起動することと、
該経路を介して該抽出可能媒体を該デバイスの中へ押し進めるように、該デバイスの圧力コントローラを起動することと、
該デバイスのセンサに該媒体を曝露し、該被検体からの該抽出可能媒体の少なくとも１つの状態を決定することと、
該センサによって決定される該媒体の該状態に関する信号を発生させることと
を含む、方法。
（項目３５）
被検体の皮膚に近接する部位に適用可能なデバイスであって、
検出される被分析物と反応または相互作用し、視覚によって、感触によって、臭いによって、または味によって検出することができる信号を発生させる作用物質を備え、
被分析物と反応または相互作用する該作用物質および信号伝達作用物質は、同じか、または異なり得、
該信号は、上記被分析物の属性の関数として変化することができ、定性的に分析することができる信号を発出する、デバイス。
（項目３６）
被検体の皮膚に近接する部位に適用可能なデバイスであって、
検出される被分析物と反応または相互作用し、視覚によって、感触によって、臭いによって、または味によって検出することができる信号を発生させる作用物質を備え、
被分析物と反応または相互作用する該作用物質と信号伝達作用物質とは、同じか、または異なり得、
該デバイスは、該被検体から流体を取得し、反応のために取得部位から分析部位まで該流体を輸送する、デバイス。
（項目３７）
被検体の皮膚に近接する部位に適用可能なデバイスであって、該デバイスは、被検体の物理的状態を決定し、該状態に関係付けられる信号を発出し、該信号は、該被検体によって容易に理解可能ではない、デバイス。
（項目３８）
被検体の皮膚に近接する部位においてデバイスを提供することであって、該デバイスは、被検体の物理的状態を決定し、該状態に関係付けられる信号を発出する、ことと、
該信号の表示を取得することと、
該表示を分析する実体に該信号の該表示を輸送することと
を含む、方法。
（項目３９）
少なくとも、被検体の第１の物理的状態に関係付けられる第１の信号を生成する第１の分析部位と、該被検体の第２の物理的状態に関係付けられる第２の信号を生成する第２の分析部位とを含む、該被検体の皮膚に近接する複数の分析部位を提供することを含む、方法。
（項目４０）
被分析物と反応または相互作用して、アイコンの形態で信号を発生させる反応性作用物質を備える、被検体の皮膚に近接する反応部位を提供することを含む、方法。
（項目４１）
被検体の状態を決定するように、該被検体の皮膚に近接する部位に適用可能なデバイスであって、
第１の構成要素と、該部位に適用するために上記第１の構成要素に接続され、該部位に適用した後に該第１の構成要素から分離可能である第２の構成要素とを備え、該第１の構成要素は、該被検体の体液を取得するように起動することができ、該第２の構成要素は、検出される被分析物と反応または相互作用し、視覚によって、感触によって、臭いによって、または味によって検出することができる信号を発生させる作用物質を備える、デバイス。
（項目４２）
被検体の唾液の中の被分析物と反応または相互作用して、信号を発生させる作用物質を備える、該被検体によって装着可能なデバイス。
（項目４３）
被検体の皮膚に近接する部位に適用可能なデバイスであって、該デバイスは、検出される被分析物と反応または相互作用して、視覚によって、感触によって、臭いによって、または味によって検出することができる信号を発生させる作用物質を備え、
該デバイスは、該信号の発生に関与する該作用物質を備える膜であって、被分析物および／または被分析物指標の通過、ならびに被分析物および／または被分析物指標との反応のうちの１つ以上に対して選択的である、膜を備える、デバイス。
（項目４４）
デバイスを緊急看護を必要としている被検体の皮膚に近接して適用することを含み、該デバイスは、被分析物と反応または相互作用して、該被検体の状態を示す信号を発生させる反応性作用物質を備える、方法。
（項目４５）
第１の色の複数の第１の粒子と、第２の色の複数の第２の粒子とを含有する溶液に、該溶液の色の変化を引き起こすのに十分な電場および／または磁場を印加することを含む、方法。
（項目４６）
少なくとも、第１の決定可能な特性を有する第１の亜集団と、第２の決定可能な特性を有する第２の亜集団とを含む粒子の集団を、サンプルに曝露することと、
該粒子の第１の亜集団のうちの少なくともいくつかの粒子が、結合パートナーを介して、該サンプルの構成要素に結合することを可能にすることであって、該構成要素に結合された該第２の亜集団からの粒子の数に対する、該構成要素に結合された該第１の亜集団からの粒子の数の比が、少なくとも５：１であるように、該粒子の第２の亜集団は、本質的に該構成要素に結合されないままである、ことと、
結合されていない粒子から該構成要素に結合された該粒子を分離することと、
該分離を決定することによって、該サンプルの特性を決定することと
を含む、方法。
（項目４７）
結合パートナーを介して、１つの色の粒子を上記サンプルの構成要素に優先的に結合すると、異なる色の粒子の集団の変化によって達成される色変化を視覚化することによって、サンプルの特性を決定することを含む、方法。